(57)【要約】【課題】  本発明は、大中小と大きさの異なる側溝用蓋に使用できるとともに、狭い側溝用蓋間の排水用切欠に確実に挿入できる挟着部材を有し、側溝用蓋を容易に持上げられる側溝用蓋上げ器具を提供するものである。【解決手段】本発明の側溝用蓋上げ器具は、ロッド１ａ，１ｂがＸ状に交差され、該交差位置が変更可能に形成された本体３と、該本体３の端部に回動可能に取付けられ、かつ、回動可能な取付け位置が変更可能な対向する２体の挟着部材８と、該本体３に両端が回動可能に取付けられた係止部材５と、を備えている。【選択図】  図１
2007032138.tif 000002
【特許請求の範囲】
【請求項１】
２本のロッドを交差させ、交差部を回動軸により回動可能に結合した本体と、
該本体の２本のロッドの先端部に取付けられかつ少なくとも何れか一方が取付け位置を変更可能な対向する２体の挟着部材と、
前記本体の２本のロッドの基端部に接続され、２本のロッドの基端部間の距離を変更可能に支持する係止部材と、を備え、
前記対向する挟着部材の間隔を側溝用蓋の長さに合せて拡縮し、挟着部材の先端部を側溝用蓋間の切欠等に差込んだ状態で前記係止部材を引上げると、前記２本のロッドの基端部間の距離が短縮され、前記２つの挟着部材の先端が互いに近接し、前記側溝用蓋を両側から緊挟着することを特徴とする側溝用蓋上げ器具。
【請求項２】
１本のロッドからなる本体と、
該本体の両端部近傍に中間部分を回動可能に取付けられかつ少なくとも何れか一方が取付け位置を変更可能な対向する２体の挟着部材と、
該挟着部材の上端部に設けられ、対向する挟着部材方向に延伸された延長部と、
該延長部の端部を引上げ可能に支持する係止部材と、を備え、
前記対向する挟着部材の間隔を側溝用蓋の長さに合せて拡縮し、挟着部材の先端部を側溝用蓋間の切欠等に差込んだ状態で前記係止部材を引上げると、前記２つの挟着部材の延長部の端部が引上げられるに従い回動し先端が互いに近接して前記側溝用蓋を両側から緊挟着することを特徴とする側溝用蓋上げ器具。
【請求項３】
前記２本のロッドからなる本体が、移動可能な回動軸により回動可能に取付けられていることを特徴とする請求項1記載の側溝用蓋上げ器具。
【請求項４】
前記請求項１から３のいずれか１項に記載の側溝用蓋上げ器具と、
前記係止部材のほぼ中央に形成した係止受部に係止可能な係止部を一端部に有し、他端部が把手部である操作レバーと、
該操作レバーの中間に設けられ、下部に車輪を有する支点部材と、
を有することを特徴とする側溝用蓋上げ搬送器具。
【請求項５】
前記請求項４記載の操作レバー及び支点部材と、
前記操作レバーの先端の係止部に係止される係止受部を上端部に有し、該係止受部の下部に円周方向に回転或は回動可能に取付けられ、下端に折り曲げられた折曲部を有するロッドを備えた係止体と、
を有することを特徴とする側溝用蓋揺動器具。
【請求項６】
前記請求項４記載の操作レバー及び支点部材と、
該操作レバーの係止部に係止される係止受部及び汚泥収納袋の上部を開口状態で係止する袋係止部材を上部に有する袋立或は折畳み可能な袋立と、
を有することを特徴とする汚泥収納袋搬送器具。
【発明の詳細な説明】
【技術分野】
【０００１】
本発明は、側溝用蓋上げ器具、側溝用蓋上げ搬送器具、側溝用蓋揺動器具、汚泥収納袋搬送器具に関し、定期的に行われる道路脇の側溝内の汚泥を取除く際に使用する一連の器具に関するものである。
【背景技術】
【０００２】
従来、特許文献１や特許文献２を始めとする諸々の側溝用蓋上げ機が出願されていた。特許文献１の要約によるとこの特許出願は「操作ハンドル（１）に伸縮調整フレーム（２）が螺合されメインフレーム（３）に挿入し作業形態に応じて長さの調整を可能とした伸縮調整機構を有し、メインフレーム（３）の前部には吊り上げフック（５）及び吊り金具（６）を装着し、側溝蓋を脱着時に吊り金具（６）の作動を抑止するワンタッチクランプ装置用フック（６Ａ）が具備されている。又、使用しない時には螺合部を外すことでコンパクトに収納できる構造になっている。」
【０００３】
又、特許文献２の要約によるとこの特許出願は「全体を梃子式とし、作用点に溝蓋の側部を挟持する挟持吊上部を設け、力点に取手部を、支点にキャスター付きの支持部で構成し、該吊上部を溝蓋を挟持する挟持板を挟持リンクの一端に取着し、左右を対に連結リンクに枢着し、該挟持リンクの他端を吊アームに係止して、吊アームを回傾動可能にフレームに枢着して、吊上部とした」ものである。
【特許文献１】特開２００２−２５５３２３：重量物の持ち上げ移動装置
【特許文献２】特開２００４−７６５０９：溝蓋等の荷役材吊上機
【発明の開示】
【発明が解決しようとする課題】
【０００４】
現状の側溝用蓋は、主に大中小の３種類が使用されており、溝蓋の側部の吸水用切欠の幅が２０ｍｍ前後で片側にのみ形成されたものが多くなっている。何れの文献もメーンフレーム（特許文献１）と挟持リンク（特許文献２）がＸ状に交差しており、２つの吊り金具（特許文献１）間及び挟持板（特許文献１）間を拡縮して溝蓋を挟持するものである。しかしながら、Ｘ状のメーンフレームと挟持リンクを縦に吊上げて吊り金具間の幅を狭めるほど吊り金具が傾斜し、狭い側溝用蓋間の切欠から挿入し難くなる。
【０００５】
上記の現状で特許文献１では、溝蓋の大きさに合せて吊り金具の間隔を縮少すると、吊り金具が傾斜し側溝用蓋間の切欠に入らなかったり、挟持力が足りず溝蓋を十分に挟持できなかったりし、容易に持上げられないという不都合が生ずることがある。特許文献２は、挟持リンクの取付け位置を任意に変更することにより挟持力を向上させ確実に溝蓋を挟持できるようにしている。しかしながら、挟持リンクがＸ状に形成してあるにもかかわらず回動可能に軸止めされていないため梃子の作用が弱く、上記挟持力が不十分となることがあった。
【０００６】
このような不都合を改善するために本発明は、側溝用蓋の大中小に関係なく使用でき、
狭い側溝用蓋間の排水用切欠に確実に挿入できる挟着部材を有し、挟持力が高い側溝用蓋上げ器具を提供するとともに、持上げた側溝用蓋を所望の位置に移動する側溝用蓋上げ搬送器具、砂利や砂が側溝と側溝用蓋の間に押し込められ、側溝に側溝用蓋が固く嵌っているときに事前に側溝用蓋を揺動して取りやすくする側溝用蓋揺動器具、及び、側溝から取出した汚泥を収納した汚泥収納袋を所望の位置に移動する汚泥収納袋搬送器具を提供するものである。
【課題を解決するための手段】
【０００７】
請求項１の側溝用蓋上げ器具は、２本のロッドを交差させ、交差部を回動軸により回動可能に結合した本体と、該本体の２本のロッドの先端部に取付けられかつ少なくとも何れか一方が取付け位置を変更可能な対向する２体の挟着部材と、前記本体の２本のロッドの基端部に接続され、２本のロッドの基端部間の距離を変更可能に支持する係止部材と、を備え、前記対向する挟着部材の間隔を側溝用蓋の長さに合せて拡縮し、挟着部材の先端部を側溝用蓋間の切欠等に差込んだ状態で前記係止部材を引上げると、前記２本のロッドの基端部間の距離が短縮され、前記２つの挟着部材の先端が互いに近接し、前記側溝用蓋を両側から緊挟着することを特徴としている。
【０００８】
この本体が２本のロッドからなる側溝用蓋上げ器具は、本体の両端の２体の挟着部材の間隔を側溝用蓋の長さに合せ、隣接する側溝用蓋間の切欠の間隔に合せた２体の挟着部材をこれらの切欠に挿入して係止部材を上方に持上げると、側溝から側溝用蓋を取外せる。
【０００９】
請求項２の側溝用蓋上げ器具は、１本のロッドからなる本体と、該本体の両端部近傍に中間部分を回動可能に取付けられかつ少なくとも何れか一方が取付け位置を変更可能な対向する２体の挟着部材と、該挟着部材の上端部に設けられ、対向する挟着部材方向に延伸された延長部と、該延長部の端部を引上げ可能に支持する係止部材と、を備え、前記対向する挟着部材の間隔を側溝用蓋の長さに合せて拡縮し、挟着部材の先端部を側溝用蓋間の切欠等に差込んだ状態で前記係止部材を引上げると、前記２つの挟着部材の延長部の端部が引上げられるに従い回動し先端が互いに近接して前記側溝用蓋を両側から緊挟着することを特徴としている。
【００１０】
この側溝用蓋上げ器具は、前記側溝用蓋上げ器具のうちの本体が１本のロッドの側溝用蓋上げ器具であり、２体の挟着部材のそれぞれの上端に延長部があり、この延長部の先端部に係止部材の両端が取付けられており、２体の挟着部材の間隔を側溝用蓋の長さに合せて側溝用蓋間の切欠に差し込んで係止部材を上方に持上げると、側溝から側溝用蓋を取外せる。
【００１１】
請求項３の側溝用蓋上げ器具は、前記２本のロッドからなる本体が、移動可能な回動軸により回動可能に取付けられていることを特徴とする。
【００１２】
この側溝用蓋上げ器具は、前記側溝用蓋上げ器具のうちの本体が２本のロッドの側溝用蓋上げ器具であり、Ｘ状の本体の回動軸の位置を変更することによっても２体の挟着部材の間隔を側溝用蓋の長さに合せることもでき、しかる後、係止部材を上方に持上げると、側溝から側溝用蓋を取外せる。
【００１３】
請求項４の側溝用蓋上げ搬送器具は、前記請求項１から３のいずれか１項に記載の側溝用蓋上げ器具と、前記係止部材のほぼ中央に形成した係止受部に係止可能な係止部を一端部に有し、他端部が把手部である操作レバーと、該操作レバーの中間に設けられ、下部に車輪を有する支点部材と、を有することを特徴としている。
【００１４】
この側溝用蓋上げ搬送器具は、支点部材を有する操作レバーの係止部を側溝用蓋上げ器具の係止部材の係止受部に係止し、側溝用蓋上げ器具の２体の挟着部材の間隔を側溝用蓋の長さに合せて側溝用蓋間の切欠に差し込み、操作レバーの把持部を下方に押し下げると、側溝から側溝用蓋を取外せる。
【００１５】
請求項５の側溝用蓋揺動器具は、前記請求項４記載の操作レバー及び支点部材と、前記操作レバーの先端の係止部に係止される係止受部を上端部に有し、該係止受部の下部に円周方向に回転或は回動可能に取付けられ、下端に折り曲げられた折曲部を有するロッドを備えた係止体と、を有することを特徴とする。
【００１６】
この側溝用蓋揺動器具は、係止体の上端部の係止受部に操作レバーの先端の係止部を係止し、係止受部の下部に円周方向に回転或は回動可能に取付けられたロッドを回動して下端の折り曲げられた折曲部を側溝用蓋の裏面に当接した状態で操作レバーの把持部を下方に押し下げると、側溝用蓋が揺動する。こうして側溝用蓋を事前に揺動した後、前述の側溝用蓋上げ搬送器具により側溝から側溝用蓋を取外すと側溝用蓋が簡単に取外せる。
【００１７】
請求項６の汚泥収納袋搬送器具は、前記請求項４記載の操作レバー及び支点部材と、該操作レバーの係止部に係止される係止受部及び汚泥収納袋の上部を開口状態で係止する袋係止部材を上部に有する袋立或は折畳み可能な袋立と、を有することを特徴とする。
【００１８】
この汚泥収納袋搬送器具は、袋立或は折畳み可能な袋立の上部の係止受部に操作レバーの係止部を係止し、この袋立或は折畳み可能な袋立の上部の袋係止受部に汚泥収納袋の上部を開口状態で係止し、スコップなどで側溝内の汚泥を開口した汚泥収納袋に投入した後、操作レバーの把持部を押し下げながら移動すると、汚泥が投入された重い汚泥収納袋を容易に移動できる。
【発明の効果】
【００１９】
請求項１の本体が２本のロッドからなる側溝用蓋上げ器具は、取付け位置を変更可能な対向する挟着部材の間隔を側溝用蓋の長さに合せた上で側溝用蓋間の切欠に差込んで前記係止部材を引上げると、Ｘ状の本体が回動して挟着部材間の間隔が狭まった上に回動可能な挟着部材の先端が互いに近接し、前記側溝用蓋を両側から緊挟着するから、係止部材を更に引き上げ続けると、側溝用蓋が側溝から引上げられる。
【００２０】
請求項２の側溝用蓋上げ器具は、前記側溝用蓋上げ器具のうちの本体が１本のロッドからなる側溝用蓋上げ器具であり、２体の挟着部材の上端に延長部を有し、この延長部の端部に係止部材の両端が回動可能に取付けられているので係止部材を上方に持上げると、延長部の端部が引上げられるに従って挟着部材が回動し挟着部材の先端が互いに近接し、前記側溝用蓋を両側から緊挟着するから、係止部材を更に引き上げ続けると、側溝用蓋が側溝から引上げられる。
【００２１】
請求項３の側溝用蓋上げ器具は、前記側溝用蓋上げ器具のうちの本体がＸ状に交差し移動可能な回動軸により２本のロッドが回動可能な側溝用蓋上げ器具であり、この側溝用蓋上げ器具は、Ｘ状に交差する本体が、移動可能な回動軸により回動可能に取付けられているので回動軸の移動により挟着部材の間隔を拡縮できる。
【００２２】
請求項４の側溝用蓋上げ搬送器具は、下部に回転体を備えた支点部材有する操作レバーの一端部の係止部を側溝用蓋上げ器具の係止部材のほぼ中央に形成した係止受部に係止し、操作レバーの他端部の把手部を押し下げると、側溝用蓋上げ器具の係止部材が引上げられ、前述の請求項１乃至３の場合と同様の作用により挟着部材が側溝用蓋を両側から緊挟着し、係止部材を更に引き上げ続けると、側溝用蓋が側溝から引上げられる。この側溝用蓋上げ搬送器具の支点部材の下部には回転体が取付けられているので、側溝用蓋を持上げたまま任意の方向に向きを変えられるとともに側溝用蓋を簡単に移動できる。
【００２３】
請求項５の側溝用蓋揺動器具は、係止体の上端部の係止受部に操作レバーの先端の係止部を係止し、係止受部の下部に円周方向に回転或は回動可能に取付けられたロッドを回動して下端の折り曲げられた折曲部を側溝用蓋の裏面に当接した状態で操作レバーの把持部を下方に押し下げると、側溝用蓋が揺動する。こうして側溝用蓋を事前に揺動した後、前述の側溝用蓋上げ搬送器具により側溝から側溝用蓋を取外すと側溝用蓋が簡単に取外せる。
【００２４】
請求項６の汚泥収納袋搬送器具は、操作レバーが請求項４の操作レバーであり、袋立或は折畳み可能な袋立には、汚泥収納袋を開口状態で汚泥収納袋の上部を係止する袋係止部材を上部に有しているので、汚泥収納袋の上部を袋係止部材に係止して汚泥収納袋を開口状態で立てると、側溝内の汚泥を収納し易い。汚泥収納袋に汚泥を収納した状態で操作レバーの他端の把手部を押し下げると、操作レバーの一端とともに袋立或は折畳み可能な袋立及び汚泥収納袋が持上げられるから、請求項４の場合と同様汚泥収納袋を任意の所へ移動できる。
【発明を実施するための最良の形態】
【００２５】
「第１実施例」  以下、本発明の実施の形態を添付図面を参照して説明する。図１〜３は本発明を実施する形態の一例で、２本のロッド１ａ，１ｂがＸ状に配置され、両ロッド１ａ，１ｂの交点で回動軸２により回動可能な本体３を形成する。両ロッド１ａ，１ｂの交点近傍には、所定の間隔を隔てて複数の貫通孔４ａ，４ｂ，４ｃ・・・が設けられ、この複数の貫通孔４ａ，４ｂ，４ｃ・・・の任意の貫通孔４ｘに上記回動軸２が遊嵌され回動軸２を軸心として前記２本のロッド１ａ，１ｂが回動可能に軸着される。即ち、回動軸２の位置は必要に応じて変更可能である。この複数の貫通孔４ａ，４ｂ，４ｃ・・・は、手動工具のプライヤーに設けられた複数の貫通孔のように切欠溝で連結された複数の貫通孔とするなど他の方法であっても良く、回動軸２を所望の位置に変更できればよい。
【００２６】
上記本体のそれぞれのロッド１ａ，１ｂの一端には、係止部材５の両端が回動軸６ａにより回動可能に取付けられている。この係止部材５は３本のロッド５ａ，５ｂ，５ｃが直列状に配列され、回動軸６ａ，６ｂにより回動可能に連結されていて中央には切欠からなる係止受部７が設けてある。この係止受部７の形状は切欠に拘るものではなく山形等に折り曲げられた係止受部であっても良い。又、係止部材５自体も、３本のロット５ａ，５ｂ，５ｃに拘るものではなく鎖やワイヤーロープ等であっても良く、鎖やワイヤーロープ等曲折可能な係止部材５の場合は、係止部材５の両端がロッド１ａ，１ｂのそれぞれの一端に固定されていてもよい。
【００２７】
又、本体３のそれぞれのロッドの他端には、挟着部材８が取付け位置を変更できるとともに回動可能に取付けられている。この挟着部材８は、ロッド１ａ，１ｂの他端が内挿される筒体８ａと、この筒体８ａに垂下された当接片８ｂとを有している。筒体８ａに垂下された当接片８ｂの先端の折曲片８ｃは、対向する当接片８ｂに方向って少し折り曲げてあり、側溝用蓋（図示せず）の側面と裏面の接点を係止できるようになっている。
【００２８】
挟着部材８の取付け位置を変更できるように本体３のそれぞれのロッド１ａ，１ｂの他端には、所定の位置に複数の貫通孔９ａ，９ｂ，９ｃが設けてある。上記本体３のそれぞれのロッド１ａ，１ｂの他端に挟着部材８の筒体８ａを外挿し、ロッド１ａ，１ｂの所望の貫通孔９ａ，９ｂ，９ｃの位置に筒体８ａがきたとき、このロッド１ａ，１ｂの貫通孔９ａ，９ｂ，９ｃと重なり合う貫通孔８ｄを筒体８ａに設ける（図２参照）。これらの貫通孔９ａ，９ｂ，９ｃの１つと貫通孔８ｄに回動軸１０を遊嵌した状態で挿通すると、挟着部材８はロッド１ａ，１ｂに回動可能となる（図では筒体８ａの貫通孔８ｄはネジ溝付であり、回動軸１０は蝶ネジで示したが、後述するように回動可能であれば他の方法であっても良い）。尚、図３に示したように、回動軸１０を挿通する貫通孔８ｄと貫通孔９ａ，９ｂ，９ｃのうちの１つと挿通して挟着部材８を回動可能とするときは、後述する係止突起１１ａ，１１ｂ，１１ｃ；係止切欠１２ａ，１２ｂ，１２ｃは無用である。これらの係止突起１１ａ，１１ｂ，１１ｃ；係止切欠１２ａ，１２ｂ，１２ｃを必要とするのは、筒体８ａの表裏の何れかに貫通孔を設け、この貫通孔に蝶ネジを螺着し、締めつけた蝶ネジによりロッド１ａ，１ｂを緊押圧する場合である。
【００２９】
ロッド１ａ，１ｂの他端に筒体８ａを外挿し、回動軸１０で回動可能に取付けたとき、筒体８ａの一部が当接し、ロッド１ａ，１ｂの他端から抜け落ちないようにロッド１ａ，１ｂの他端の下側に抜け落ち防止部材としての係止突起１１ａ，１１ｂ，１１ｃを突設する。図４に示した例は、筒体８ａの側部に設けたネジ溝付の貫通孔８ｄに回動軸１０を螺着（図に回動軸１０が表示されていないが、図１と同様に筒体８ａの表裏の何れかに設けたネジ溝付の貫通孔８ｄに回動軸１０が螺着され、回動軸１０を軸心として挟着部材８が回動可能である）し、回動軸１０の先端により本体３のロッド１ａ，１ｂを緊押圧した例である。この例は，側溝用蓋９０を引上げ中に何かの拍子で回動軸１０が緩み挟着部材８の緊挟着力が低下し、側溝用蓋９０が落下することを防止するためのもので、本体３のロッド１ａ，１ｂの外周（図ではロッド１ａ，１ｂの下方）に所望の間隔で係止突起１１ａ，１１ｂ，１１ｃを設ける。筒体８ａの側部をこの係止突起１１ａ，１１ｂ，１１ｃに当接した状態で回動軸１０を締め付けると、係止部材５を引上げ中に回動軸１０が緩んでも係止突起１１ａ，１１ｂ，１１ｃがあるから筒体８ａの側部が係止突起１１ａ，１１ｂ，１１ｃに当接していて緩むことがない。
【００３０】
図５では、図４の係止突起１１ａ，１１ｂ，１１ｃの代わりにロッド１ａ，１ｂの外周の上側に所望の間隔で係止切欠１２ａ，１２ｂ，１２ｃを設け、この係止切欠１２ａ，１２ｂ，１２ｃに嵌る突起１３を筒体８ａの内面に突設したものである。尚、図示しない回動軸１０が図４の場合と同様に設けられている。必要に応じ上記係止切欠１２ａ，１２ｂ，１２ｃのうちの所望の切欠１２ｘの位置に筒体８ａを合せた上でこの係止切欠１２ａ，１２ｂ，１２ｃに筒体８ａの内面の突起１３を嵌め込んで回動軸１０を締め付けると、図４の場合と同様の作用効果が得られる。又、図４，図５の符号９０は、側溝用蓋を示し、符号９１は、側溝用蓋９０の給水用切欠である。この切欠９１の厚さは、挟着部材８の筒体８ａに垂下された当接片８ｂの折り曲げられた厚さＢよりも小さくなっている。
【００３１】
上記構成の側溝用蓋上げ器具は、側溝用蓋９０の長さに合せてロッド１ａ，１ｂの他端に取付けられた挟着部材８を進退動させて間隔を決め回動位置を決めた後、挟着部材８を側溝の側部の切欠９１に差込んだ状態で係止部材５を人力や機械・器具などで引上げると、前記２本のロッド１ａ，１ｂが回動して２体の挟着部材８の先端が互いに近接し、前記側溝用蓋９０を両側から緊挟着する。挟着部材８の筒体８ａに垂下された当接片８ｂの先端が、対向する当接片８ｂ方向に向って少し折り曲げてあり、側溝用蓋９０を両側から緊挟着した状態では、当接片８ｂの先端が側溝用蓋９０の下方にあるから側溝用蓋９０を安全に引上げることができる。この状態で挟着部材８を更に引上げると益々挟着力が高まり、挟着部材８により挟着された側溝用蓋９０を確実に引上げることができる。
【００３２】
以下、図１により側溝用蓋上げ器具を側溝用蓋上げ搬送器具として使用するために必要な構成を説明する。前記側溝用蓋上げ器具の係止部材５のほぼ中央に形成した係止受部７に係止可能な係止部１５ａ，１５ｂを一端部に有し、他端部が把手部（図示せず）である操作レバー１６を設ける。この操作レバー１６は、接続可能な複数本（或は１本若しくは伸縮可能な１本）のロッド１６ａ，１６ｂ・・・などからなっている（図では複数のロッド１６ａ，１６ｂを蝶ネジ１６ｃで連結している）。操作レバー１６の中間に着脱可能に取付けられる（或は固定した状態で取付けられる）支点部材１７を設ける。操作レバー１６に支点部材１７を着脱可能に取付けるため操作レバー１６の中間に突起１８を垂下し、この垂下した突起１８を挿入する挿入受部としての穴１９を支点部材１７の上端に設け、この穴１９に前記突起１８を挿入して蝶ネジ２０で止める。この支点部材１７の下部には回転体としてのキャスターが回転可能に取付けてある。以上が側溝用蓋上げ器具を側溝用蓋上げ搬送器具として使用するための付加構成である。
【００３３】
上記構成の側溝用蓋上げ搬送器具は、操作レバー１６の一端部の係止部を係止受部に係止した状態で操作レバー１６の他端部の把手部（図示せず）を下方に押し下げると、支点部材１７が支点となって前述の側溝用蓋上げ器具が持上げられる。支点部材１７の下方には回転体２１が取付けてあるので側溝用蓋上げ器具により持上げた側溝用蓋９０を任意の所に移動できる。
【００３４】
「第２実施例」  図６により次の実施例を説明する。本体２５は、帯板、棒材、管などを使用した１本のロッドからなる。この本体２５は、強度を上げるため断面がＬ型、Ｔ型、コ型、Δ型、□型等のロッドが望ましい。この本体２５の両端に回動可能な挟着部材８を取付ける。この挟着部材８は、前記実施例と同じく本体２５の他端が内挿される筒体８ａと、この筒体８ａに垂下された当接片８ｂとを有している。筒体８ａに垂下された当接片８ｂの先端は、対向する当接片８ｂに向って少し折り曲げられた折曲片８ｃである。上記一方の挟着部材８の筒体８ａは、本体２５の一端に外挿され、本体２５と筒体８ａとを貫通する貫通孔２６に回動軸２７が挿通されることにより回動可能となっている。上記他方の挟着部材８の筒体８ａは、本体２５の他端に遊嵌され、本体２５上を進退動可能に取付けられている。この他方の挟着部材８の筒体８ａ内には、円弧状の突起８ｅが突設され、本体２５の他端の上側には、この筒体８ａ内の円弧状の突起８ｅが遊嵌され、挟着部材８が回動可能に取付けられるように円弧状の切欠２５ａが所望の間隔で複数個連設されている。尚、前記一方の挟着部材８もこの他方の挟着部材８と同様に取付けることができるが、その時は挟着部材８が本体２５の両端から外れないように本体２５の両端に挟着部材外れ防止部材を設けると良い（図示せず）。又、これらの回動方法は、図示した手段に拘るものではなく、他の手段によるものであっても良い。
【００３５】
上記２体のそれぞれの挟着部材８の上端に、対向する挟着部材８の方向に向って延びる延長部２８を挟着部材８と一体的に形成する。この延長部２８は、梃子の作用を強くするため、図６より図７に示す長い延長部２８ａが良いが、延長部２８，２８ａの長さは必要に応じ任意に決めればよい。又、図７に示すように他方の挟着部材８は、本体２５の他端部に所望の間隔で連設した貫通孔２６ａと挿通する貫通孔（図示されず、符号なし）を挟着部材８の筒体８ａに設け、延長部２８ａの所望の貫通孔２６ａと連通した貫通孔（図示されず、符号なし）に回動軸２７を挿通することにより回動可能とすることもできる。上記延長部２８，２８ａのそれぞれの上端部に、前記第１実施例と同じ構成の係止部材５の両端が、回動可能に取付けられる。
【００３６】
上記構成の側溝用蓋上げ器具は、前記対向する挟着部材８の間隔を、おおよそ側溝用蓋９０の長さに合せた上で側溝用蓋９０間の切欠９１に差込む。挟着部材８の幅Ｙの方が、切欠９１の幅Ｘより小さくなっている。差込んだ状態で前記係止部材５を引上げると、前記延長部２８，２８ａの端部が引上げられて回動する。この延長部２８，２８ａの回動に従い挟着部材８が回動するとともに挟着部材８の先端の折曲片８ｃが互いに近接し、前記側溝用蓋９０を両側から緊挟着する。挟着部材８により側溝用蓋９０が緊挟着された状態で係止部材５を更に引上げ続けると、側溝用蓋９０が側溝から持上げられる。このときの折曲片８ｃは、側溝用蓋９０の裏面側にあるので例え側溝用蓋９０が多少揺れても側溝用蓋９０が落下すること無く安全である。
【００３７】
「第３実施例」  図８に示す側溝用蓋揺動器具は、第１実施例の側溝用蓋上げ器具を使用する前に予備的に使用するものである。一般に側溝の上部の枠とこの枠に嵌め込まれた側溝用蓋の間に砂や小石が嵌り込み押し固められており、側溝用蓋を容易に引上げられなくなっている。このような場合この側溝用蓋揺動器具を使って側溝用蓋を揺動した上で前記側溝用蓋上げ器具を使用すると側溝から側溝用蓋を取外し易くなる。前記第１実施例の付加構成部分である支点部材１７付き操作レバー１６を用意する。この操作レバー１６の先端の係止部１５ａ（別途設けても良い）に係止される係止受部３０（形状は問わない）を上端部に有する係止体３１を設ける。この係止体３１は上部の係止部３２と、下部のロッド３３とからなり、下部のロッド３３は、係止部３２の下部に円周方向に回転或は回動可能に取付けられている。このロッド３３の下端は、ほぼ直角に折り曲げられた折曲部３４である。
【００３８】
この側溝用蓋揺動器具は、操作レバー１６の先端の係止部１５ａにこの係止体３１の係止受部３０を係止した状態で側溝用蓋９０間の切欠９１から挿入した後、ロッド３３を回転或は回動させ、先端の折曲部３４を側溝用蓋９０の裏面に係止した状態で操作レバー１６の把手部を押し下げる。ほとんどの側溝用蓋９０は、これを数回繰り返すと揺動する。一旦、側溝用蓋９０が動いたらこの係止体３１と前記側溝用蓋上げ器具と交換して側溝用蓋９０を引上げれば、側溝の上部枠に頑強に嵌った側溝用蓋９０も容易に引上げられる。
【００３９】
「第４実施例」  図９に示す汚泥収納袋搬送器具は、実施例１で説明した付加構成部分である支点部材１７付き操作レバー１６を使用する。そして、側溝内から取出した汚泥を収納する汚泥収納袋を開口状態で立てられる折畳み可能な袋立５０を用意する。この折畳み可能な袋立５０は、先端が鋭利な複数の鉤型の袋係止部材５１を有する並列された２本のロッド５２が上部に設けられている。この２本のロッド５２の中央部には操作レバー１６の係止部１５ａ（或は１５ａと１５ｂ）に係止される係止受部５３が形成されている。この２本のロッド５２は折畳み可能なロッド５４により連結されている。２本のロッド５２のうち少なくとも１本のロッド５２の央部には、支柱５５が垂下され、この支柱５５の下端にはベース５６（形状を問わず）が折畳み可能に取付けられている。ベース５６の一端側には脚５７が取付けられ、他端側は前記支点部材１７の下部に設けられた係止部１７ａに係止できるようになっている。図では、ロッドで形成されたべ−ス５６上に挿脱可能な汚泥収納袋受５８が示されているが、ベース５６が板などで形成された場合はこの汚泥収納袋受５８は無用である。又、袋立を折畳み可能な袋立５０として図示しているが、折畳めない袋立や容器状の袋立であっても良く、汚泥袋を開口した状態で立てておければその形状を拘るものではない。
【００４０】
上記構成の汚泥収納袋搬送器具は、操作レバー１６の係止部１５ａ（或は１５ａと１５ｂ）を折畳み可能な袋立５０の上部の係止受部５３に係止した状態で複数の袋係止部材５１に汚泥収納袋の上部を係止し、汚泥収納袋を開口する。折畳み可能な袋立５０に開口状態で係止された汚泥収納袋にスコップ等で掬った側溝内の汚泥を投入し、操作レバー１６の他端の把手部を押し下げて汚泥収納袋を移動する。汚泥収納袋を所望の所に移動したら汚泥収納袋を袋係止部材５１から取外す。
【００４１】
尚、本発明の側溝用蓋上げ器具、側溝用蓋上げ搬送器具、汚泥収納袋搬送器具、側溝用蓋揺動器具は、何点か例示したが、上記した実施の例に限定されるものではなく、本発明の要旨の範囲内において種々変更を加え得ることができる。
【産業上の利用可能性】
【００４２】
本発明の側溝用蓋上げ器具は、道路脇の側溝内の汚泥を除去する際に側溝用蓋を持上げるものであり、側溝用蓋上げ搬送器具は、持上げた側溝用蓋を移動するものであり、汚泥収納袋搬送器具は、側溝内の汚泥を汚泥収納袋内に投入する際に汚泥収納袋を開口した状態で立て、汚泥を収納した汚泥収納袋を移動する際に使用するものであり、側溝用蓋揺動器具は、側溝の上部の枠に堅く嵌った側溝用蓋を事前に揺動させ、側溝用蓋上げ器具により側溝用蓋を容易に持上げられるようにするものである。
【図面の簡単な説明】
【００４３】
【図１】側溝用蓋上げ搬送器具を示す分解斜視図である。
【図２】側溝用蓋上げ器具を示す正面図である。
【図３】図２のＡ−Ａ線で切断した断面図である。
【図４】側溝用蓋上げ器具の要部を示す拡大縦断面図である。
【図５】側溝用蓋上げ器具の要部を示す拡大縦断面図である。
【図６】側溝用蓋上げ器具を示す縦断面図である。
【図７】側溝用蓋上げ器具を示す縦断面図である。
【図８】側溝用蓋上げ器具を示す分解斜視図である。
【図９】汚泥収納袋搬送器具を示す分解斜視図である。
【符号の説明】
【００４４】
１ａ，１ｂ        ロッド
２          回動軸
３          本体
４ａ，４ｂ        貫通孔
５          係止部材
５ａ，５ｂ，５ｃ        ロッド
６ａ，６ｂ，６ｃ        回動軸
７          切欠からなる係止受部
８          挟着部材
８ａ        筒体
８ｂ        当接片
８ｃ        折曲片
８ｄ        貫通孔
８ｅ        円弧状の突起
９ａ，９ｂ，９ｃ        貫通孔
１０          回動軸
１１ａ，１１ｂ，１１ｃ        抜け落ち防止部材としての係止突起
１２ａ，１２ｂ，１２ｃ        係止切欠
１３          突起
１５ａ，１５ｂ        係止部
１６          操作レバー
１６ａ，１６ｂ        接続可能な複数本（或は１本若しくは伸縮可能な１本）のロッド１６ｃ        蝶ネジ
１７          支点部材
１７ａ        係止部
１８          突起
１９          穴
２０          蝶ネジ
２５ａ        円弧状の切欠
２６          貫通孔
２６ａ        貫通孔
２７          回動軸
２８          挟着部材の延長部
２８ａ        挟着部材の延長部
３０          係止受部
３１          係止体
３２          係止部
３３          ロッド
３４          折曲部
５０          折畳み可能な袋立
５１          鉤型の袋係止部材
５２          ロッド
５３          係止受部
５４          折畳み可能なロッド
５５          支柱
５６          ベース
５７          脚
５８          汚泥収納袋受
９０          側溝用蓋
９１          側溝用蓋の給水用切欠
【図１】
2007032138.tif 000003
【図２】
2007032138.tif 000004
【図３】
2007032138.tif 000005
【図４】
2007032138.tif 000006
【図５】
2007032138.tif 000007
【図６】
2007032138.tif 000008
【図７】
2007032138.tif 000009
【図８】
2007032138.tif 000010
【図９】
2007032138.tif 000011